(57)【要約】【課題】プロセス機器の被保守対象に対する保守データを漏れなく正確に記録して保守管理者に報告し、保守管理者が機器の保守点検結果を集計して保守の状況を管理することができるようにしたプラント計装系の保守方法およびそのシステムを提供すること。【解決手段】保守管理装置１０１で作成した保守作業項目データを保守携帯端末１０２に転送し、この保守作業項目データを基に、プラント計装系のプロセス機器１０３に保守携帯端末１０２を接続し、保守携帯端末１０２を介してプロセス機器の校正と作動点検を含む保守作業のを実施し、その結果を保守管理装置１０１に転送し、保守管理装置１０１で保守作業結果を集計し保守管理するプラント計装系の保守方法およびそのシステムである。【選択図】　図１
2004021583.tif 000002
【特許請求の範囲】
【請求項１】
保守管理装置においてプロセス機器の被保守対象に対する保守作業についての保守作業項目データを作成する項目データ作成ステップと、
該項目データ作成ステップで作成された保守作業項目データを通信手段を介して保守携帯端末に送信して格納する送信ステップと、
前記保守携帯端末において前記送信ステップで格納された保守作業項目データをもとに前記プロセス機器の被保守対象に対する校正と作動点検を含む保守作業を行なうための保守作業信号を発生し、該発生した保守作業信号を前記保守携帯端末から前記プロセス機器の被保守対象に提供して保守作業を行って前記プロセス機器の被保守対象から得られる保守作業結果を示す実測データを保守携帯端末に応答する保守作業ステップと、
前記保守携帯端末において前記保守作業ステップで応答された実測データを基に保守作業結果データを作成して前記保守管理装置に送信する結果データ作成ステップと、
前記保守管理装置において前記結果データ作成ステップで受信される保守作業結果データおよびプラント制御装置からの保守に関連する制御データを集計して保守管理する保守管理ステップとを有することを特徴とするプラント計装系の保守方法。
【請求項２】
前記保守作業ステップにおいて、前記保守携帯端末に格納された保守作業項目データを前記保守携帯端末の表示部に表示して各項目データを選択し、該選択された各項目データをもとに前記保守作業信号を発生させることを特徴とする請求項１記載のプラント計装系の保守方法。
【請求項３】
前記結果データ作成ステップにおいて、前記保守作業項目データおよび前記保守作業結果デ−タに基づいて保守作業漏れの判定を行ない、その判定結果を表示部に表示することを特徴とする請求項１記載のプラント計装系の保守方法。
【請求項４】
前記項目データ作成ステップにおいて、前記保守管理装置は、計画した保守計画内容および保守管理データベースを含む保守情報から前記保守作業項目リストを作成することを特徴とする請求項１記載のプラント計装系の保守方法。
【請求項５】
前記保守作業ステップにおいて、プロセス機器の被保守対象に対して保守作業を行う際、前記保守携帯端末を介して前記保守管理装置の保守管理データベースの検索を可能にしたことを特徴とする請求項１記載のプラント計装系の保守方法。
【請求項６】
前記結果データ作成ステップにおいて、前記保守携帯端末において作成された保守作業結果データをもとに良否について判定し、その判定結果情報を表示部に表示することを特徴とする請求項１記載のプラント計装系の保守方法。
【発明の詳細な説明】
【０００１】
【発明の属する技術分野】
本発明は、プラント計装系において、プロセス機器の被保守対象を保守携帯端末を用いて保守作業を行い、保守管理装置がその保守点検結果を集計して保守の状況を管理することができるようにしたプラント計装系の保守方法およびそのシステムに関する。
【０００２】
【従来の技術】
プラント計装系の保守においては、現場に設置したセンサ、伝送器、アクチュエ−タなどのプロセス機器の近くで、校正・作動点検を含む保守作業を行う。プロセス機器に校正信号を入力してそれに対する出力信号を現場あるいは中央制御室等で測定し、得られた結果から誤差など算出し、プロセス機器を調整する。
【０００３】
例えば定期点検を実施する場合、保守管理者は計画された保守内容に基づき保守作業項目リストを作成し、保守作業員を割り振りして保守作業を実施する。点検作業においては、信号発生器をプロセス機器に接続し、校正信号を印加して、校正信号に対するプロセス機器の出力値を信号測定器で測定し、保守作業項目リストに測定したデ−タを記入している。プロセス機器の出力値は、現場、中央制御室などさまざまな場所に表示されるため、複数の人員で作業をしている。点検作業が完了後、保守管理者は、結果データを保守作業項目と保守作業項目リストに従って集計用の装置に入力し集計をおこない、保守作業報告書を作成する。
【０００４】
【発明が解決しようとする課題】
従来のプラント計装系の保守システムでは、点検作業においては、信号発生器、信号測定器ならびに保守作業項目リストあるいは中央制御室との連絡用機器を現場に持ち歩く必要があった。保守作業者も現場だけでなく、中央制御室にも配置する必要はあった。
【０００５】
また、保守作業項目リストによる作業では、作業項目の見落としや測定結果データ記録時の手入力による誤記等が発生することも考えられる。また測定結果について保守作業員が確認の必要性を感じた場合には、例えば過去のデータを参照するために中央制御室や保守管理者に問い合わせる必要があった。
【０００６】
このように従来のプラント計装系の保守方法は、現場では多く機材を持ち歩き、中央制御室と密に連絡をとりながら保守作業を行なわなければならず、また現場での作業漏れやデ−タ記録時の入力ミスなどにより、プラント内における全てのプロセス機器の保守作業結果が、正確にプラント管理者においてデ−タベ−ス化されないことが考えられるものであった。
【０００７】
本発明の目的は、上記課題を解決すべく、プロセス機器の被保守対象に対する保守データを漏れなく正確に記録して保守管理者に報告し、保守管理者が機器の保守点検結果を集計して保守の状況を管理することができるようにしたプラント計装系の保守方法およびそのシステムを提供することにある。
【０００８】
【課題を解決するための手段】
上記の目的を達成するために、本発明は、保守管理装置においてプロセス機器の被保守対象に対する保守作業についての保守作業項目データを作成する項目データ作成ステップと、該項目データ作成ステップで作成された保守作業項目データを通信手段を介して保守携帯端末に送信して格納する送信ステップと、前記保守携帯端末において前記送信ステップで格納された保守作業項目データをもとに前記プロセス機器の被保守対象に対する校正と作動点検を含む保守作業を行なうための保守作業用信号を発生する信号発生ステップと、該信号発生ステップで発生した保守作業用信号を前記保守携帯端末から前記プロセス機器の被保守対象に提供して保守作業を行って前記プロセス機器の被保守対象から得られる保守作業結果を示す実測データを保守携帯端末に応答する保守作業ステップと、前記保守携帯端末において前記保守作業ステップで応答された実測データを基に保守作業結果データを作成して前記保守管理装置に送信する結果データ作成ステップと、前記保守管理装置において前記結果データ作成ステップで受信される保守作業結果データおよびプラント制御装置からの保守に関連する制御データを集計して保守管理する保守管理ステップとを有することを特徴とするプラント計装系の保守方法およびそのシステムである。
【０００９】
また、本発明は、前記保守管理装置として、計画した保守計画内容と保守管理データベースを含む保守情報から保守作業項目を作成する機能と、保守携帯端末から伝送されたデータおよびプラント制御装置から伝送された制御データを基に保守作業結果の集計を行ない保守管理データベースを作成する機能と、保守携帯端末から伝送された問い合わせデータに応答する機能とを備えて構成される。
【００１０】
また、本発明は、前記保守携帯端末として、保守を行うプロセス機器の被保守対象に対して校正と作動点検のための保守作業用信号を出力する信号発生部と、プロセス機器から出力される保守作業用信号に応答する応答信号（保守作業結果を示す実測データ）を入力する信号入力部と、入力操作を行うための入力部と、保守管理装置との間でデータ伝送を行うための通信部と、プロセス機器との間の信号授受データと保守管理装置との伝送データおよび判定結果データを表示するための表示部とを備えて構成される。
【００１１】
【発明の実施の形態】
本発明に係るプラント計装系の保守方法およびそのシステムの実施の形態について図面を用いて説明する。
【００１２】
本発明に係るプラント計装系の保守システムの基本構成を図１に示す。プラント計装系の保守システムは、プラント保守管理データベースを持つ保守管理装置１０１と、保守管理装置１０１から保守データを授受し、実際に保守作業を実施する際に使用する複数の保守携帯端末１０２とで構成される。プラント計装系において、各保守携帯端末１０２を用いて、プラント制御装置１０４とも連携しながら複数のプロセス機器１０３に対する保守を実施する。
【００１３】
例えば定期点検時には、図２に示すように、保守管理装置１０１は、保守計画から詳細な保守作業工程と保守作業項目を作成し（ステップ２０１）、該作成した詳細な保守作業工程と保守作業項目を該当するあるいは全ての保守携帯端末１０２に転送する（ステップ２０２）。保守携帯端末１０２において、転送されて例えば表示等して得られる詳細な保守作業工程と保守作業項目とに基く保守作業員の入力部５０２（後述図５参照）の指示によリ、信号発生部５０４（後述図５参照）から発生する基準入力信号等の保守作業用信号をプローブ等（図示せず）を用いてプロセス機器１０３内の被保守対象に入力してプロセス機器の校正や作動点検などの保守作業を実施し（ステップ２０３）、保守作業結果データをプローブ等（図示せず）を介して保守携帯端末１０２に入力して記憶部５０６に格納する。その後、保守携帯端末１０２は、上記記憶部５０６（後述図５参照）に格納された保守作業結果データ（保守データ）を保守管理装置１０１に転送する（ステップ２０４）。保守管理装置１０１は、転送を受けた保守作業結果データおよびプラント制御装置１０４からのプロセス機器の保守に関連する制御データ（保守する際のプロセス機器の制御条件や環境条件等に関するデータ）を集計することにより（ステップ２０５）、プラント保守管理データベースを作成する。
【００１４】
次に、保守管理装置１０１による保守計画から詳細な保守作業工程と保守作業項目の作成について説明する。上記保守計画としては、保守作業を実施する期間、プラントのセクション、作業項目についての大まかな内容が計画される。保守管理者は、保守管理装置１０１で計画されて表示装置（図示せず）等に出力された保守計画をもとに詳細な保守作業工程と保守作業項目を入力して作成する。
【００１５】
保守作業項目データは、図３に示すように、プロセス機器タグ番号（保守作業工程である被保守対象）、入力基準値Ｉｒ、出力基準値Ｏｒ、許容誤差Ｅａ、入力実測値Ｉｍ、出力実測値Ｏｍ、誤差実測値Ｅｍ、作業日、合否判定とからなる。プロセス機器タグ番号（保守作業工程である被保守対象）、入力基準値、出力基準値、許容誤差は、保守管理装置１０１が保守計画から作成して保守携帯端末１０２に送信して提供して記憶部５０６に格納する保守作業計画であり、入力実測値、出力実測値、誤差実測値、作業日、合否判定は、保守作業の結果として保守携帯端末１０２に入力されて保守管理装置１０１に送信して格納される保守作業結果である。
【００１６】
次に、保守携帯端末１０２による各プロセス機器の保守作業について図４および図５を用いて説明する。
【００１７】
図５は、保守携帯端末１０２の基本構成と機能を示す。通信部５０１では伝送路１０５を介して保守管理装置１０１とのデータの授受を行う。表示部５０３は、保守作業項目データおよび保守作業結果データなどを表示する。操作入力部５０２は、保守作業項目の各項目の順次または選択、操作コマンドの入力、表示部５０３に表示するデータの指定などを行う。信号発生部５０４は、操作入力部５０２で選択された保守作業項目データから基準入力信号を発生し、プローブ等によりプロセス機器１０３内の計器等の被保守対象に入力するものである。信号入力部５０５は、プロセス機器１０３内の計器等の被保守対象から出力される信号をプローブ等により実測値として取り込み、記憶部５０６に記憶する。記憶部５０６は保守管理装置１０１から送られた保守データやプロセス機器の実測結果などを一時的に記録するものである。外部インタフェース部５０７はたとえばプリンタ、ＩＣカードなど外部装置との接続部である。制御部５０８は上記各部を制御する。
【００１８】
上記構成により、保守携帯端末１０２は、保守管理装置１０１から被保守対象の保守作業項目を通信部５０１で受信して記憶部５０６に記憶する。保守作業が、たとえば校正の場合、保守携帯端末１０２は、被保守対象の保守作業項目として校正するプロセス機器内の被保守対象、入力基準値（例えば、基準電圧信号や基準電流信号等）、出力基準値（入力基準値に対応する出力基準値）、許容誤差（入力基準値に対応する出力基準値の許容誤差）を含むデータを受信する（ステップ４０１）。保守作業員は、保守携帯端末１０２に対して、入力部５０２を操作することにより、記憶部５０６に格納された保守作業項目の各項目を表示部５０３に表示し、該表示された保守作業項目の各項目を順次または選択してプロセス機器１０３内の被保守対象に対して保守作業をすすめる（ステップ４０２）。保守携帯端末１０２は、順次または選択された保守作業項目のデータからの基準入力信号（例えば、基準電圧信号や基準電流信号等を段階的（例えば０％、２０％、５０％、８０％、１００％）に）を信号発生部５０４から発生してプローブ等を用いてプロセス機器の計器等の被保守対象の検出部に入力し（ステップ４０３）、該入力に対する計器等の被保守対象からの指示値をプローブ等（図示せず）を用いて信号入力部５０５で入力してチェック（ステップ４０４）し、指示値の誤差が許容範囲外である場合には保守作業員が上記計器等の被保守対象を調整する（ステップ４０５）。保守携帯端末１０２への指示値の入力は、現場から直接信号入力部５０５へ入力する場合、入力部５０２から手入力する場合、プラント制御装置１０４、保守管理装置１０１経由で指示値を取得する場合がある。調整完了後、確定データをプローブ等（図示せず）を用いて信号入力部５０５から保守携帯端末１０２に取り込む。
【００１９】
以上説明したように、上記の実施の形態は、図２に示すように、保守管理装置１０１においてプロセス機器１０３の被保守対象に対する保守作業についての保守作業項目データを作成する項目データ作成ステップ（ステップ２０１）と、該項目データ作成ステップで作成された保守作業項目データを通信手段を介して保守携帯端末１０２に送信して格納する送信ステップ（ステップ２０２）と、前記保守携帯端末１０２において前記送信ステップで格納された保守作業項目データをもとに前記プロセス機器１０３の被保守対象に対する校正と作動点検を含む保守作業を行なうための保守作業信号を発生し、該発生した保守作業信号を前記保守携帯端末１０２から接続される前記プロセス機器１０３の被保守対象に提供して保守作業を行って前記プロセス機器１０３の被保守対象から得られる保守作業結果を示す実測データを保守携帯端末１０２に応答する保守作業ステップ（ステップ２０３）と、前記保守携帯端末１０２において前記保守作業ステップで応答された実測データを基に保守作業結果データを作成して前記保守管理装置１０１に送信する結果データ作成ステップ（ステップ２０４）と、前記保守管理装置１０１において前記結果データ作成ステップで受信される保守作業結果データおよびプラント制御装置１０４からの保守に関連する制御データを集計して保守管理する保守管理ステップ（ステップ２０５）とを有するプラント計装系の保守方法である。
【００２０】
また、前記の実施の形態は、前記プラント計装系の保守方法の前記保守作業ステップにおいて、保守携帯端末１０２に格納された保守作業項目データを保守携帯端末１０２の表示部５０３に表示して各項目データを選択し、該選択された各項目データをもとに前記保守作業信号を発生させることにある。
【００２１】
また、前記の実施の形態は、前記プラント計装系の保守方法の前記結果データ作成ステップにおいて、前記保守作業項目データおよび前記保守作業結果デ−タに基づいて保守作業漏れの判定を行ない、その判定結果を表示部に表示することにある。
【００２２】
また、前記の実施の形態は、前記プラント計装系の保守方法の前記項目データ作成ステップにおいて、前記保守管理装置１０１は、計画した保守計画内容および保守管理データベースを含む保守情報から前記保守作業項目リストを作成することにある。
【００２３】
また、前記の実施の形態は、前記プラント計装系の保守方法の前記保守作業ステップにおいて、プロセス機器の被保守対象に対して保守作業を行う際、前記保守携帯端末１０２を介して前記保守管理装置１０１の保守管理データベースの検索を可能にしたことにある。
【００２４】
また、前記の実施の形態は、前記プラント計装系の保守方法の前記結果データ作成ステップにおいて、前記保守携帯端末１０２において作成された保守作業結果データをもとに良否について判定し、その判定結果情報を表示部５０３に表示することにある。
【００２５】
【発明の効果】
本発明によれば、現場で作業漏れをなくし、保守作業結果を正確に記録し、全てのプロセス機器の保守作業結果を正確にデータベース化することが可能になる。
【図面の簡単な説明】
【図１】本発明に係るプラント計装系の保守システムの基本的構成を示す図である。
【図２】本発明に係る保守のフローを示すフローチャート図である。
【図３】本発明に係る保守作業項目の内容を示す図である。
【図４】本発明に係る保守作業のフローを示すフローチャート図である。
【図５】本発明に係る保守携帯端末の構成を示す図である。
【符号の説明】
１０１…保守管理装置、１０２…保守携帯端末、１０３…プロセス機器、１０４…プラント制御装置、５０１…通信部、５０２…入力部、５０３…表示部、５０４…信号発生部、５０５…信号入力部、５０６…記憶部、５０７…インタフェース部、５０８…制御部。
【図１】
2004021583.tif 000003
【図２】
2004021583.tif 000004
【図３】
2004021583.tif 000005
【図４】
2004021583.tif 000006
【図５】
2004021583.tif 000007